(57)【要約】【課題】補修紙幣とそれ以外の紙幣とを分別する機能を備えた紙幣整理装置を提供する。【解決手段】補修された紙幣を検知するテープ検知機構を設け、紙幣整理装置１内に投入された紙幣の中から補修紙幣を分別する。また紙幣整理装置１はテープ検知機構により補修紙幣であると判別された紙幣を集積するリジェクトポケット８を備える。更に補修紙幣は接着テープで補修された紙幣であり、テープ検知機構は、紙幣に接着テープが付着しているか否かに基づいて補修紙幣であるか否かの判断を行う。【選択図】  図１
2007310672.tif 000002
【特許請求の範囲】
【請求項１】
補修された紙幣を検知する補修紙幣検知手段を設け、装置内に投入された紙幣の中から補修紙幣を分別することを特徴とする紙幣取扱装置。
【請求項２】
紙幣を所定の基準により鑑別する鑑別部を備え、該鑑別部において受け入れ不可と判断された紙幣においては、リジェクト券として装置外部へと排出する紙幣取扱装置において、
補修された紙幣を検知する補修紙幣検知手段を設け、前記リジェクト券と判別された紙幣を、補修紙幣と補修されていない紙幣とに分別することを特徴とする紙幣取扱装置。
【請求項３】
前記補修紙幣検知手段による判別は、リジェクト券と判断されて装置から排出された紙幣が、再び装置内に投入されたときに行われる請求項２記載の紙幣取扱装置。
【請求項４】
前記補修紙幣検知手段による判別は、前記鑑別部による鑑別動作と同時に行われる請求項２記載の紙幣取扱装置。
【請求項５】
前記補修紙幣検知手段により補修紙幣であると判別された紙幣を集積する集積部を備えた請求項１、又は請求項２記載の紙幣取扱装置。
【請求項６】
補修紙幣であると判別された紙幣を集積する第１の集積部と、補修紙幣ではないと判別された紙幣を集積する第２の集積部を設け、
補修紙幣であるか否かに基づいて紙幣を集積する集積部を変える請求項１、又は請求項２記載の紙幣取扱装置。
【請求項７】
前記補修紙幣は接着テープで補修された紙幣であり、前記補修紙幣検知手段は、紙幣に前記接着テープが付着しているか否かに基づいて補修紙幣であるか否かの判断を行う請求項１、又は請求項２記載の紙幣取扱装置。
【発明の詳細な説明】
【技術分野】
【０００１】
本発明は、補修紙幣を取り扱う紙幣取扱装置に関するものである。
【背景技術】
【０００２】
従来、銀行等の金融機関においては精査時等に回収した紙幣を一定枚数毎に束ねて整理する紙幣整理装置が導入されている。従来の紙幣整理装置は、投入部にセットされた金種混合の多数枚の紙幣を１枚ずつ鑑別部に搬送して金種や正損等の鑑別を行い、流通可能な紙幣（正券）と、流通不可能な紙幣（損券）、及び鑑別不可能なリジェクト券のいずれかに判別する。そして正券と判別された紙幣は予めオペレータが指定した金種等の指定に基づいて、指定された一時集積部にそれぞれ分別して集積し、また損券と判別された紙幣はオープンポケットへと搬送し、更にリジェクト券と判別された紙幣はリジェクトポケットへと搬送している。なお、オープンポケット、及びリジェクトポケットへと搬送した紙幣は装置外へと排出される。
【０００３】
また、リジェクト券と判別された紙幣においては、その後、紙資源として再生されるものもある。
【０００４】
このように、従来、鑑別部で金種不明と鑑別されたりあるいは搬送異常が検知されたリジェクト紙幣を集積するリジェクトポケットを備え、鑑別部での鑑別の結果、偽あるいは金種不明と鑑別された紙幣、及び重送等の搬送異常が検出された紙幣はリジェクトポケットに搬送して集積する紙幣整理装置がある（例えば、特許文献１参照。）。
【特許文献１】特開２００２−１９７５０９号公報
【発明の開示】
【発明が解決しようとする課題】
【０００５】
上記従来の紙幣整理装置において、鑑別部でリジェクト券と判別された紙幣の中には、破損した箇所を透明な接着テープで補修した紙幣（以下補修紙幣とする）が含まれている。このような補修紙幣は紙原料以外の成分が含まれるため再生に適しないので、リジェクト券と判別された紙幣を、補修紙幣とそれ以外の紙幣（補修されていない紙幣）とに分別する必要がある。しかしながら補修紙幣と補修されていない状態の紙幣とを分別する機能を紙幣整理装置が備えていないので、人手による分別作業を行っていた。その結果、紙幣整理装置がリジェクト券と判別してから分別作業を終了するまでに時間がかかってしまうという問題点があった。
【課題を解決するための手段】
【０００６】
上記課題を解決するために本発明で設けた解決手段は、補修された紙幣を検知する補修紙幣検知手段を設け、装置内に投入された紙幣の中から補修紙幣を分別するものである。
【発明の効果】
【０００７】
本発明によれば、補修紙幣検知手段により、装置内に投入された紙幣の中から補修紙幣を分別することにより、リジェクト券と判別された紙幣をまとめて装置内に投入すれば、装置が補修紙幣とそれ以外の紙幣とに分別する。従って、リジェクト券と判別された紙幣において、補修紙幣とそれ以外の紙幣とに分別する作業を人手を必要とせずに行うことができるようになる。その結果、短時間で分別作業を行うことができるようになる。
【発明を実施するための最良の形態】
【０００８】
以下、本発明の実施例を図面に従って説明する。なお、各図面に共通する要素には同一の符号を付す。
【実施例１】
【０００９】
図１は実施例１の紙幣整理装置の構成を示す説明図である。
図１において、紙幣整理装置１正面の上部には、紙幣を紙幣取扱装置である紙幣整理装置１内部へと受け入れる投入部１３が形成されており、投入部１３の底面には図示せぬ繰り出しローラが設けられている。また紙幣整理装置１内であって、投入部１３近傍には受け入れローラ対１４が設けられている。そして投入部１３には紙幣が短手側が搬送方向となるようにセットされ、前記繰り出しローラ、及び受け入れローラ１４が回転することによりセットされた紙幣を下側から順次繰り出し、紙幣整理装置１内部へと搬送する。なお、投入部１３には５００枚程度の紙幣がセット可能となっている。
【００１０】
紙幣整理装置１には投入部１３に続いて図示せぬベルトにより紙幣を挟み込んで搬送する認識前搬送路３ａが形成されており、この認識前搬送路３ａに沿って、紙幣の真偽、金種、正損、表裏等の鑑別、及び計数を行うと共に、搬送異常の検出を行い、鑑別結果を後述する主制御部に送信する鑑別部２が設けられている。なお、該鑑別部２の後段には認識後方搬送路３ｂが形成されており、この認識後方搬送路３ｂに沿って紙幣の表裏反転を行う表裏反転部４が設けられている。この表裏反転部４は表紙幣をそのまま搬送し、裏紙幣をスイッチバック方式で表裏変換する。
【００１１】
紙幣整理装置１の上面には、結束対象外の金種の紙幣や、損券を集積するオープンポケット５が形成されており、このオープンポケット５に集積された紙幣はオペレータが直接アクセスできるものとなっている。なお、オープンポケット５には認識後方搬送路３ｂに接続されたオープンポケット搬送路３ｃが接続されている。
【００１２】
投入部１３の上方には鑑別部２で金種不明と鑑別されたりあるいは搬送異常が検知されたり、更には補修紙幣と判別されたリジェクト紙幣を集積する、集積部であるリジェクトポケット８が設けられており、このリジェクトポケット８に集積された紙幣にもオペレータが直接アクセスできるものとなっている。なお、リジェクトポケット８には認識前搬送路３ａと接続されたリジェクトポケット搬送路３ｅが接続されている。また、認識前搬送路３ａと認識後方搬送路３ｂとは、上段横搬送路３ｄで接続されている。
【００１３】
また紙幣整理装置１の下部には認識後方搬送路３ｂと接続された下段横搬送路３ｆが形成されており、この下段横搬送路３ｆは更に下段縦搬送路３ｇと接続されている。そして下段縦搬送路３ｇには集積部である一時集積部６が設けられている。
【００１４】
一時集積部６は本実施例においては縦１列に金種別に４つの一時集積部６ａ〜６ｄを上下方向に並べることで構成されており、各一時集積部６ａ〜６ｄにそれぞれ予め定められた枚数、例えば本実施の形態では１００枚の紙幣が集積できるようになっている。それぞれの一時集積部６ａ〜６ｄ近傍の下段縦搬送路３ｇには、紙幣の搬送方向を切り替える図示せぬ切替えブレードが一時集積部６ａ〜６ｄ毎にそれぞれ設けられている。そしてこの切替えブレードの切り替えにより紙幣が金種別にそれぞれの一時集積部６ａ〜６ｄに振り分けられる。なお、一時集積部は４つに限る必要はない。
【００１５】
一時集積部６ａの図示せぬ集積板２２上に予め定められた枚数の紙幣、例えば１００枚の紙幣が集積されると、後述する主制御部は図示せぬ切替えブレードを紙幣を取り込まない姿勢に動作させ、１０１枚目以降の紙幣は一時集積部６ｂ〜６ｄのいずれかへ集積するように制御する。
【００１６】
そして一時集積部６の更に下部には、紙幣に対して帯封する施封部１０が設けられている。なお、この施封部１０は、ローラ及びベルト等から成る搬送手段と、紙テープ等による結束用のテープと、印字手段と、テープを供給する供給手段と、テープを所定の長さに切断するカッターと、結束手段を備えている。また一時集積部６よりも紙幣整理装置１後段には、一時集積部６と施封部１０との間を移動可能に設けられ、一時集積部６に集積された紙幣を受け取り、一時集積部６外部へと取り出して、施封部１０へと移送する紙幣クランプ部１５が設けられている。
【００１７】
また紙幣整理装置１の正面下部には紙幣束を装置外部へと放出する放出口１１が形成されており、施封部１０と紙幣束排出搬送路３ｈにより接続されている。紙幣整理装置１の正面にはまた図示せぬ扉が設けられており、この扉を開けることでオペレータは一時集積部６にアクセスできるものなっている。なお、紙幣整理装置１の正面上部には更に、オープンポケット５の後方に位置するように図示せぬ操作表示部が設けられている。この操作表示部は、ＬＣＤとその表面に配置したタッチパネルによって構成されており、オペレータはこの操作表示部を操作してモードの指定や、一時集積部６ａ〜６ｄに集積する紙幣の金種、集積順序等の設定を行うものとなっている。また、この操作表示部には鑑別部２で鑑別された紙幣の金種や正損及び計数結果等の表示も行われる。
【００１８】
なお、上記各搬送路３はローラと、該ローラに巻装されたベルトにより構成されている。また紙幣整理装置１には、該紙幣整理装置１全体を制御する制御手段である主制御部７が設けられている。
【００１９】
次に鑑別部２に設けられた補修紙幣検知手段であるテープ検知機構の構成について説明する。図２は実施例１のテープ検知機構の構成を示す説明図、図３は実施例１のテープ検知機構が接着テープを検知している状態を示す説明図である。なお、図２においてテープ検知機構は接着テープが付着していない紙幣を挟持しており、図３においてテープ検知機構は接着テープが付着している状態の紙幣を挟持している。
【００２０】
図２において、テープ検知機構９は紙幣に接着テープ等の異物が付着している場合に、該異物の付着している紙幣を検知するものであり、紙幣１２の長手方向略全面に渡って、紙幣１２を搬送挟持するローラ対１７が複数配設されることにより構成されている。それぞれのローラ対１７は基準ローラ１８とチェックローラ１９とから構成され、チェックローラ１９は図示せぬ押圧部材により基準ローラ１８に対して押圧されている。また各チェックローラ１９の上部であって、所定距離だけ離れた位置には、該チェックローラ１９の上昇量が基準量を超えたときにチェックローラ１９を検知し、鑑別部２に対してチェックローラ１９を検知したことを示す情報を送信する変位センサ２０が設けられている。なお、接着テープは長尺状のものに限定されるものではなく、チェックローラ１９を基準量を超えて上昇させることができる程度の大きさであれば良い。
【００２１】
チェックローラ１９は、基準ローラ１８と共に紙幣１２を挟持した時には紙幣１２の厚み分だけ図示せぬ押圧部材の押圧力に抗して変位センサ２０に近付く方向に上昇する。しかしながら、この上昇量は基準量であるのでチェックローラ１９は変位センサ２０に検知される位置まで到達しない。
【００２２】
一方、図３に示すように紙幣１２に接着テープ２４が付着していれば接着テープ２４が付着している箇所はチェックローラ１９の上昇量が基準量を超えるので、チェックローラ１９が変位センサ２０に到達し、変位センサ２０がチェックローラ１９を検知し、鑑別部２に対してチェックローラ１９を検知したことを示す情報を送信する。鑑別部２は１箇所以上の変位センサ２０から送信されてくる情報がチェックローラ１９を検知したことを示す情報であった場合、現在鑑別している紙幣は接着テープ２４が付着している紙幣１２であると認識し、主制御部７に対して接着テープ２４が付着している紙幣１２を検知したことを示す情報を送信する。主制御部７はこの情報を受信すると、接着テープ２４が付着していると判別された紙幣１２を鑑別部２からリジェクトポケット搬送路３ｅによりリジェクトポケット８に搬送して集積する制御を行う。なお、紙幣１２のコーナー折れ等の場合にもチェックローラ１９が上昇し、変位センサ２０がチェックローラ１９を検知するが、紙幣１２の外形を確認することにより、コーナー折れ等の紙幣１２の折れによる上昇、あるいは接着テープ２４が付着していることによる上昇のいずれであるかを容易に判断することができる。
【００２３】
次に上記構成における紙幣整理装置１の動作について説明する。なお、本実施例においては、投入される紙幣は第１の金種の紙幣と第２の金種の紙幣とし、予めオペレータにより図示せぬ表示操作部から損券はオープンポケット５に集積し、リジェクト券はリジェクトポケット８に集積する指定が入力されているものとする。
【００２４】
図１において、始めにオペレータが第１の金種と第２の金種が混在している紙幣を投入部１３に短手方向が搬送方向となるようにセットし、図示せぬ操作表示部に表示されている図示せぬ計数開始ボタンを押下すると、紙幣の取り込みが開始される。これにより投入部１３の底面に設けられた繰り出しローラ、及び投入部１３近傍に設けられた受け入れローラ１４が回転することによりセットされた紙幣を下側から１枚ずつ分離して順次繰り出し、紙幣整理装置１内部へと搬送する。内部へと取り込まれた紙幣は認識前搬送路３ａにより鑑別部２へと搬送され、鑑別部２で紙幣の真偽、金種、正損、表裏等の鑑別、及び計数を行うと共に、搬送異常の検出が行われる。
【００２５】
その結果、真券であり、且つ正券であると鑑別された紙幣は、上段横搬送路３ｄ、及び認識後方搬送路３ｂにより表裏反転部４に搬送され、この表裏反転部４で表裏が揃えられた後、下段横搬送路３ｆ、及び下段縦搬送路３ｇにより一時集積部６に搬送されて金種別に一時集積部６ａ〜６ｄのいずれかの一時集積部に集積される。
【００２６】
まず、第１の金種の紙幣または第２の金種の紙幣のうち、先に鑑別部２に搬送され、金種が確定した紙幣が、一時集積部６ａに集積され、後から鑑別部２に搬送された金種の紙幣は一時集積部６ｂに集積される。つまり、先に鑑別部２に搬送された紙幣の金種が一時集積部６ａに集積される金種として決定され、これにより一時集積部６ｂに集積される紙幣の金種も一義的に決まるので、先に鑑別部２に搬送された紙幣の金種が第１の金種であれば一時集積部６ａに第１の金種の紙幣が集積され、一時集積部６ｂには第２の金種の紙幣が集積されることになる。
【００２７】
但し、予め操作表示部で一時集積部６ａと一時集積部６ｂのいずれか一方に第１の金種の紙幣を集積し、他方に第２の金種の紙幣を集積するように指定してある場合は、その指定に従って紙幣の集積を行う。
【００２８】
一方、鑑別部２において、真券であっても、損券であると鑑別された紙幣は、上段横搬送路３ｄ、認識後方搬送路３ｂ、及びオープンポケット搬送路３ｃによりオープンポケット５に搬送されて集積され、また、偽券あるいは金種不明と鑑別された紙幣、及び重送等の搬送異常が検出された紙幣は受け入れ不可と判断され、リジェクトポケット搬送路３ｅによりリジェクトポケット８に搬送されて集積される。
【００２９】
このようにして、投入部１３にセットされた紙幣は一時集積部６、オープンポケット５、あるいはリジェクトポケット８のいずれかに搬送されて集積される。
【００３０】
なお、一時集積部６ａ及び６ｂに紙幣が１枚集積される毎に主制御部７により、それぞれの一時集積部６毎に設けられた図示せぬカウンタの内、第１のカウンタ、及び第２のカウンタの値が「１」ずつ加算される。紙幣の取り込みが進み、一時集積部６ａに集積された紙幣が１００枚に達すると、その金種の紙幣の集積場所は一時集積部６ｃに移され、１０１枚目から一時集積部６ｃに集積される。
【００３１】
同様に、一時集積部６ｂに集積された紙幣が１００枚に達すると、１０１枚目から一時集積部６ｄに集積される。一時集積部６ｃ，６ｄに集積された紙幣の枚数は主制御部３５と接続された図示せぬ第３のカウンタ、及び図示せぬ第４のカウンタでカウントされることは無論である。
【００３２】
そして１００枚に達した一時集積部６ａの紙幣は、ハンドアーム１６により挟持され、一時集積部６ａから引き抜かれて施封部１０に送られる。
【００３３】
これにより一時集積部６ａは空の状態になるので、新たに一時集積部６ｃまたは６ｄの紙幣の集積枚数が１００枚に達した場合、空になった一時集積部６ａへの切替えが可能になる。このとき、第１のカウンタの値はクリアされる（一時集積部６ｂ〜６ｄの紙幣が抜き取られた場合も、第２のカウンタ〜第４のカウンタの値がクリアされる）。
【００３４】
施封部１０では図示せぬ搬送手段がハンドアーム１６から１００枚の紙幣を一括して受け取り、結束位置に搬送する。そしてテープ供給手段がテープを結束手段に供給し、その際、印字手段はテープに結束する紙幣の金種等をインクリボンを介して印字する。印字されたテープは所定の長さにカッターで切断され、この切断されたテープを結束手段が結束位置に搬送された１００枚の紙幣に巻き掛けて結束することにより紙幣束を作る。こうして作られた紙幣束は更に搬送手段により搬送され、放出口１１に送られ、紙幣整理装置１外に排出される。
【００３５】
全ての紙幣において分別動作が終了すると、オペレータはリジェクトポケット８に集積された、リジェクト券と判別された紙幣を取り出し、該紙幣を投入部１３に短手方向が搬送方向となるようにセットし、また図示せぬ操作表示部に表示されているモードボタンの中から、テープ検知機構９を動作させてリジェクト券と判断された紙幣を補修紙幣とそれ以外の紙幣とに分別する補修紙幣分別モードボタンを選択して押下する。
【００３６】
するとこのモード指定は表示操作部から主制御部７へと送信され、主制御部７は受信した補修紙幣分別モードに応じた制御を実行する準備を行う。そしてオペレータが前記操作表示部に表示されている図示せぬ分別開始ボタンを押下すると、紙幣の取り込みが開始される。これにより投入部１３の底面に設けられた繰り出しローラ、及び投入部１３近傍に設けられた受け入れローラ１４が回転し、セットされた紙幣を下側から１枚ずつ分離して順次繰り出し、紙幣整理装置１内部へと搬送する。内部へと取り込まれた紙幣は認識前搬送路３ａにより鑑別部２へと搬送される。
【００３７】
鑑別部２に到達すると、鑑別部２で紙幣の真偽、金種、正損、表裏等の鑑別、及び計数を行うと共に、搬送異常の検出が行われる。そしてそれと同時にテープ検知機構９により接着テープが付着しているか否かもまた判断される。図２に示すように接着テープが付着していない紙幣１２がテープ検知機構９を通過した時にはチェックローラ１９は基準量だけ上昇する。その結果、変位センサ２０の出力は変化せず、主制御部７は該紙幣を鑑別部２から上段横搬送路３ｄ、認識後方搬送路３ｂ、及びオープンポケット搬送路３ｃによりオープンポケット５に搬送して集積する。
【００３８】
一方、図３に示すように接着テープ２４が付着している箇所はチェックローラ１９の上昇量が基準量を超えるので、チェックローラ１９が変位センサ２０に到達し、変位センサ２０がチェックローラ１９を検知し、鑑別部２に対してチェックローラ１９を検知したことを示す情報を送信する。鑑別部２は１箇所以上の変位センサ２０から送信されてくる情報がチェックローラ１９を検知したことを示す情報であった場合、現在鑑別している紙幣は接着テープ２４が付着している紙幣１２であると認識し、主制御部７に対して接着テープ２４が付着している紙幣１２を検知したことを示す情報を送信する。主制御部７はこの情報を受信すると、接着テープ２４が付着していると判別された紙幣１２を鑑別部２からリジェクトポケット搬送路３ｅによりリジェクトポケット８に搬送して集積する。
【００３９】
なお、リジェクト券と判断され、補修紙幣か否かの判断のために再び紙幣整理装置１に投入された紙幣であっても、今回の鑑別部２での鑑別により、真券であり、且つ正券であると鑑別された紙幣は、オープンポケット５に搬送せず、上段横搬送路３ｄ、及び認識後方搬送路３ｂにより表裏反転部４に搬送し、この表裏反転部４で表裏を揃えた後、下段横搬送路３ｆ、及び下段縦搬送路３ｇにより一時集積部６に搬送し金種別に一時集積部６ａ〜６ｄのいずれかの一時集積部に集積するようにしてもよい。
【００４０】
以上本実施例１においては、補修された紙幣を検知するテープ検知機構９を設け、紙幣整理装置１内に投入された紙幣の中から補修紙幣を分別することにより、リジェクト券と判別された紙幣をまとめて投入部１３にセットすれば、紙幣整理装置１において補修紙幣とそれ以外の紙幣とに分別して紙幣整理装置１外部に排出する。従って、リジェクト券と判別された紙幣において、補修紙幣とそれ以外の紙幣とに分別する作業を人手を必要とせずに行うことができるようになる。その結果、短時間で分別作業を行うことができるようになる。
【実施例２】
【００４１】
次に本発明の実施例２について説明する。なお、上記実施例１と同一箇所には同一符号を付して説明は省略する。図４は実施例２の紙幣整理装置の構成を示す説明図である。本実施例２の紙幣整理装置において上記実施例１の紙幣整理装置１と異なる点は、リジェクトポケットを複数とした点である。
【００４２】
詳しくは、図４において、投入部１３の上方にはリジェクト券と判別された紙幣を集積するリジェクトポケットが隣接して２個（第１の集積部である第１のリジェクトポケット２２、第２の集積部である第２のリジェクトポケット２３）が設けられており、実施例１と同様に第１のリジェクトポケット２２、及び第２のリジェクトポケット２３に集積された紙幣に対してオペレータが直接アクセスできるものとなっている。また第１のリジェクトポケット２２には認識前搬送路３ａと接続された第１のリジェクトポケット搬送路３ｊが接続され、一方、第２のリジェクトポケット２３には認識前搬送路３ａと接続された第２のリジェクトポケット搬送路３ｋが接続されている。そして第１のリジェクトポケット２２にはリジェクト券であって、且つ破損した箇所を透明な接着テープで補修した紙幣が集積され、一方、第２のリジェクトポケット２３にはリジェクト券であって、且つ接着テープが付着していない紙幣、すなわち補修紙幣ではない紙幣が集積される。なお、リジェクトポケットを１個とし、内部で２層構造とし、一方の集積部にリジェクト券であって、且つ破損した箇所を透明な接着テープで補修した紙幣を集積し、他方の集積部にリジェクト券であって、且つ接着テープが付着していない紙幣を集積しても良い。
【００４３】
また、本実施例の紙幣整理装置２１においては、鑑別動作と同時にリジェクト券と判別された紙幣を補修紙幣とそれ以外の紙幣とに分別する動作を行う制御を可能とし、該制御を鑑別・リジェクト券分別モードとして図示せぬ操作表示部から選択、及び指示可能とする。なお、その他の構成は上記実施例１と同様であるので説明は省略する。
【００４４】
次に紙幣の鑑別を行うと同時にリジェクト券と判別された紙幣を、更に補修紙幣とそれ以外の紙幣とに分別する動作について説明する。なお、本実施例においても、投入される紙幣は第１の金種の紙幣と第２の金種の紙幣とする。
【００４５】
図４において、始めにオペレータが第１の金種と第２の金種が混在している紙幣を投入部１３に短手方向が搬送方向となるようにセットし、図示せぬ操作表示部に表示されているモードボタンの中から、鑑別動作と同時にリジェクト券と判別された紙幣を補修紙幣と補修されていない紙幣とに分別する動作を行う鑑別・リジェクト券分別モードボタンを選択して押下する。
【００４６】
するとこのモード指定は表示操作部から主制御部７へと送信され、主制御部７は受信した鑑別・リジェクト券分別モードに応じた制御を実行する準備を行い、続けて紙幣の取り込みを開始する。これにより投入部１３の底面に設けられた繰り出しローラ、及び投入部１３近傍に設けられた受け入れローラ１４が回転し、セットされた紙幣を下側から１枚ずつ分離して順次繰り出し、紙幣整理装置１内部へと搬送する。内部へと取り込まれた紙幣は認識前搬送路３ａにより鑑別部２へと搬送され、鑑別部２で紙幣の真偽、金種、正損、表裏等の鑑別、及び計数を行うと共に、搬送異常の検出が行われる。
【００４７】
鑑別部２はこれら鑑別動作と同時にテープ検知機構９を動作させ、紙幣に接着テープが付着しているか否かもまた判断する。そしてリジェクト券であると判別した紙幣においてはリジェクト券であることを示す情報に加えて、更に接着テープが付着していない紙幣であることを示す情報、あるいは接着テープが付着している紙幣であることを示す情報を主制御部７に送信する。
【００４８】
この情報を受けて主制御部７は、リジェクト券であって接着テープが付着している紙幣は、鑑別部２から第１のリジェクトポケット搬送路３ｊにより第１のリジェクトポケット２２に搬送して集積する制御を行う。一方、リジェクト券であって接着テープが付着していない紙幣は、鑑別部２から第２のリジェクトポケット搬送路３ｋにより第２のリジェクトポケット２３に搬送して集積する。
【００４９】
なお、鑑別部２で真券であり、且つ正券であると鑑別された紙幣は、実施例１と同様に上段横搬送路３ｄ、及び認識後方搬送路３ｂにより表裏反転部４に搬送され、この表裏反転部４で表裏が揃えられた後、下段横搬送路３ｆ、及び下段縦搬送路３ｇにより一時集積部６に搬送されて金種別に一時集積部６ａ〜６ｄのいずれかの一時集積部に集積される。なお、一時集積部６に集積された紙幣に対するその後の処理は上記実施例１と同様であるので説明は省略する。
【００５０】
また、鑑別部２において、真券であっても、損券であると鑑別された紙幣も、実施例１と同様に上段横搬送路３ｄ、認識後方搬送路３ｂ、及びオープンポケット搬送路３ｃによりオープンポケット５に搬送されて集積される。
【００５１】
以上本発明の実施例２においては、テープ検知機構９による判別を、鑑別部２による鑑別動作と同時に行うと共に、リジェクトボックスを２個設け、補修紙幣であるか否かに基づいてリジェクト券と判断された紙幣を集積するリジェクトボックスを変える制御とすることにより、鑑別動作と同時にリジェクト券と判別された紙幣を補修紙幣とそれ以外の紙幣とに分別することができるようになる。その結果、紙幣を１回紙幣整理装置２１に投入すれば、リジェクト券と判別された紙幣を補修紙幣とそれ以外の紙幣とに分別することができるので、実施例１の紙幣整理装置１に比べて更に短時間で分別作業を行うことができるようになる。
【００５２】
なお、上記実施例１、及び実施例２において、テープ検知機構を紙幣整理装置に設けて説明したが、接着テープが付着した紙幣が投入される可能性のある、装置、例えば、紙幣入出金機、紙幣計数機、オープン出納機等にテープ検知機構を備え、接着テープが付着された紙幣を検知する機能を持たせても良い。
【００５３】
また、損券、リジェクト券、補修紙幣を紙幣整理装置外に排出するのではなく、真券であり、且つ正券であると鑑別された紙幣と同様に一時集積部６に搬送して損券、リジェクト券、補修紙幣別に、複数の一時集積部のいずれかの一時集積部６に集積するようにしても良い。そして損券、リジェクト券、補修紙幣においては、オペレータにより図示せぬ操作表示部に表示されている結束ボタンが押下されると、所定枚数に達しなくても、強制的に一時集積部６から紙幣を引き抜き施封部１０へと送る制御とする。これにより、一時集積部６に集積された紙幣を施封部１０へと送り、施封部１０で、損券、リジェクト券、補修紙幣等紙幣の状態を示す情報を印字したテープを損券、リジェクト券、補修紙幣毎に巻き掛けて結束し、紙幣束を作る。そして作られた紙幣束を更に搬送手段により搬送し、放出口１１から紙幣整理装置１外に排出する。
【００５４】
これにより、損券、リジェクト券、補修紙幣においても、オペレータが輪ゴム止めをする必要がなくなり、業務の効率化が可能となる。
【図面の簡単な説明】
【００５５】
【図１】実施例１の紙幣整理装置の構成を示す説明図である。
【図２】実施例１のテープ検知機構の構成を示す説明図である。
【図３】実施例１のテープ検知機構が接着テープを検知している状態を示す説明図である。
【図４】実施例２の紙幣整理装置の構成を示す説明図である。
【符号の説明】
【００５６】
１    紙幣整理装置
２    鑑別部
８    リジェクトポケット
９    テープ検知機構
１２  紙幣
２１  紙幣整理装置
２２  第１のリジェクトポケット
２３  第２のリジェクトポケット
【図１】
2007310672.tif 000003
【図２】
2007310672.tif 000004
【図３】
2007310672.tif 000005
【図４】
2007310672.tif 000006